(57)【要約】【課題】所望の電源状態に確実に遷移させることが可能な生体情報取得装置等を提供する。【解決手段】本発明の生体情報取得装置は、生体情報を取得可能な生体情報取得部を具備し、生体情報取得部を駆動させるための電力を供給可能な電源部と、電源部から生体情報取得部への電力の供給を実施するまたは遮断する制御を行う電源供給制御部と、生体情報取得装置を起動させるための第１の制御信号、及び、生体情報取得装置を停止させるための第２の制御信号のうちの少なくとも一方を検知した際に検知信号を出力する制御信号検知部と、制御信号検知部からの検知信号の出力状態に基づき、前回検知された一方の制御信号が今回再度検知された場合に電源供給制御部の制御状態を維持させ、一方の制御信号とは異なる他方の制御信号が今回検知された場合に電源供給制御部の制御状態を変化させる状態切替制御部と、を有する。【選択図】図１
2013146437.tif 000002
【特許請求の範囲】
【請求項１】
被検体の内部の生体情報を取得可能な生体情報取得部を具備する生体情報取得装置であって、
前記生体情報取得部を駆動させるための電力を供給可能な電源部と、
前記電源部から前記生体情報取得部への電力の供給を実施するまたは遮断する制御を行う電源供給制御部と、
前記生体情報取得装置の外部において発せられた前記生体情報取得装置を起動させるための第１の制御信号、及び、前記生体情報取得装置の外部において発せられた前記生体情報取得装置を停止させるための第２の制御信号のうちの少なくとも一方を検知した際に検知信号を出力するように構成された制御信号検知部と、
前記制御信号検知部からの前記検知信号の出力状態に基づき、前記第１の制御信号及び前記第２の制御信号のうち、前回検知された一方の制御信号が今回再度検知された場合において、前記電源供給制御部の制御状態を維持させるように動作し、前記一方の制御信号とは異なる他方の制御信号が今回検知された場合において、前記電源供給制御部の制御状態を変化させるように動作する状態切替制御部と、
を有することを特徴とする生体情報取得装置。
【請求項２】
前記制御信号検知部は、前記第１の制御信号を検知した際、及び、前記第２の制御信号を検知した際においてそれぞれ前記検知信号を出力するように構成されており、
前記状態切替制御部は、前記検知信号が前記制御信号検知部から所定の時間内に所定の回数出力されたか否かに基づき、前記一方の制御信号が今回再度検知されたか否かを判定できるように構成されている
ことを特徴とする請求項１に記載の生体情報取得装置。
【請求項３】
前記第１の制御信号及び前記第２の制御信号は、バースト出力期間の周期と、バースト出力回数と、のうちの少なくとも一方が相互に異なるバースト状の交流磁界信号である
ことを特徴とする請求項２に記載の生体情報取得装置。
【請求項４】
前記制御信号検知部は、前記第１の制御信号または前記第２の制御信号のいずれか一方を選択的に検知して前記検知信号を出力するように構成されており、
前記状態切替制御部は、前記検知信号が前記制御信号検知部から所定の時間内に出力されたか否かに基づき、前記一方の制御信号が今回再度検知されたか否かを判定できるように構成されている
ことを特徴とする請求項１の記載の生体情報取得装置。
【請求項５】
前記第１の制御信号及び前記第２の制御信号は、バースト出力期間中に出力される交流磁界の周波数が相互に異なるバースト状の交流磁界信号である
ことを特徴とする請求項４の記載の生体情報取得装置。
【請求項６】
前記生体情報取得装置は、カプセル内視鏡であることを特徴とする請求項１乃至５のいずれか一項に記載の生体情報取得装置。
【請求項７】
請求項１乃至６のいずれか一項に記載の生体情報取得装置と、
前記生体情報取得装置を起動させるための指示を行うことが可能な第１のスイッチと、前記生体情報取得装置を停止させるための指示を行うことが可能な第２のスイッチと、前記第１のスイッチにおいてなされた指示に基づいて前記第１の制御信号を発生させる制御を行うとともに、前記第２のスイッチにおいてなされた指示に基づいて前記第２の制御信号を発生させるための制御を行う制御信号発生制御部と、を備えた外部制御装置と、
を有することを特徴とする生体情報取得システム。
【請求項８】
被検体の内部の生体情報を取得可能な生体情報取得部と、前記生体情報取得部を駆動させるための電力を供給可能な電源部と、前記電源部から前記生体情報取得部への電力の供給を実施するまたは遮断する制御を行う電源供給制御部と、を有する生体情報取得装置の駆動方法であって、
前記生体情報取得装置の外部において発せられた前記生体情報取得装置を起動させるための第１の制御信号、及び、前記生体情報取得装置の外部において発せられた前記生体情報取得装置を停止させるための第２の制御信号のうちの少なくとも一方を検知した際に検知信号を出力する制御信号検知ステップと、
前記制御信号検知ステップによる前記検知信号の出力状態に基づき、前記第１の制御信号及び前記第２の制御信号のうち、前回検知された一方の制御信号が今回再度検知されたか否かを判定する判定ステップと、
前記判定ステップにより前記一方の制御信号が今回再度検知されたとの判定結果が得られた場合において、前記電源供給制御部の制御状態を維持させ、また、前記判定ステップにより前記一方の制御信号とは異なる他方の制御信号が今回検知されたとの判定結果が得られた場合において、前記電源供給制御部の制御状態を変化させる制御ステップと、
を有することを特徴とする生体情報取得装置の駆動方法。
【請求項９】
前記制御信号検知ステップは、前記第１の制御信号を検知した際、及び、前記第２の制御信号を検知した際においてそれぞれ前記検知信号を出力し、
前記判定ステップは、前記検知信号が所定の時間内に所定の回数出力されたか否かに基づき、前記一方の制御信号が今回再度検知されたか否かを判定する
ことを特徴とする請求項８に記載の生体情報取得装置の駆動方法。
【請求項１０】
前記制御信号検知ステップは、前記第１の制御信号または前記第２の制御信号のいずれか一方を選択的に検知して前記検知信号を出力し、
前記判定ステップは、前記検知信号が所定の時間内に出力されたか否かに基づき、前記一方の制御信号が今回再度検知されたか否かを判定する
ことを特徴とする請求項８に記載の生体情報取得装置の駆動方法。
【請求項１１】
前記生体情報取得装置は、カプセル内視鏡であることを特徴とする請求項８乃至１０のいずれか一項に記載の生体情報取得装置の駆動方法。
【発明の詳細な説明】
【技術分野】
【０００１】
本発明は、生体内の情報を取得可能な生体情報取得装置、生体情報取得システム及び生体情報取得装置の駆動方法に関するものである。
【背景技術】
【０００２】
医療分野における生体情報取得装置は、生体内の観察等の用途において従来用いられている。そして、前述した生体情報取得装置の種類の１つとして、被検者が嚥下することにより体腔内に配置され、蠕動運動に伴って体腔内を移動しつつ被写体の像を撮像し、撮像した被写体の像を無線信号として外部へ送信可能なカプセル内視鏡が近年提案されている。
【０００３】
そして、前述のような構成のカプセル内視鏡を具備して構成されたシステムとしては、例えば、特許文献１に開示されている体内観察システムが挙げられる。
【０００４】
具体的には、特許文献１には、カプセル内視鏡及び磁界発生装置を具備して構成された体内観察システムであって、カプセル内視鏡から送信される無線信号を磁界発生装置において受信することができたか否かに基づき、カプセル内視鏡が既に起動状態にある場合には、カプセル内視鏡の起動指示に応じた交流磁界信号を磁界発生装置から送信させないような制御が行われ、カプセル内視鏡が既に停止状態にある場合には、カプセル内視鏡の停止指示に応じた交流磁界信号を磁界発生装置から送信させないような制御が行われる、という構成が開示されている。
【発明の概要】
【発明が解決しようとする課題】
【０００５】
しかし、特許文献１に開示された構成によれば、カプセル内視鏡の起動開始の直後から一定時間が経過するまでは磁界発生装置へ無線信号が送信されないことに起因し、前述の制御を適正に実施できない期間が生じてしまう、という問題点がある。
【０００６】
また、特許文献１に開示された構成によれば、例えば、カプセル内視鏡から送信される無線信号の周波数が、磁界発生装置から送信される交流磁界信号の周波数に比べてかなり高く設定されるような場合（例えば数百ＭＨｚの無線信号がカプセル内視鏡から送信され、かつ、数ＭＨｚの交流磁界信号が磁界発生装置から送信されるような場合）において、カプセル内視鏡と磁界発生装置との間における通信環境が悪化すると、カプセル内視鏡から送信される無線信号を磁界発生装置が正常に受信できないことに起因し、前述の制御を適正に実施できない状況が生じてしまう、という問題点がある。
【０００７】
そして、特許文献１によれば、前述の２つの問題点を解決するための方策について特に言及されておらず、すなわち、電力を供給する状態にしてカプセル内視鏡を動作モードとするか、電力供給を遮断した状態にしてカプセル内視鏡を停止モードとするかという電源状態について、術者等の所望の電源状態に遷移させることができない場合がある、という課題が生じている。
【０００８】
本発明は、前述した事情に鑑みてなされたものであり、所望の電源状態に確実に遷移させることが可能な生体情報取得装置、生体情報取得システム及び生体情報取得装置の駆動方法を提供することを目的としている。
【課題を解決するための手段】
【０００９】
本発明の一態様の生体情報取得装置は、被検体の内部の生体情報を取得可能な生体情報取得部を具備する生体情報取得装置であって、前記生体情報取得部を駆動させるための電力を供給可能な電源部と、前記電源部から前記生体情報取得部への電力の供給を実施するまたは遮断する制御を行う電源供給制御部と、前記生体情報取得装置の外部において発せられた前記生体情報取得装置を起動させるための第１の制御信号、及び、前記生体情報取得装置の外部において発せられた前記生体情報取得装置を停止させるための第２の制御信号のうちの少なくとも一方を検知した際に検知信号を出力するように構成された制御信号検知部と、前記制御信号検知部からの前記検知信号の出力状態に基づき、前記第１の制御信号及び前記第２の制御信号のうち、前回検知された一方の制御信号が今回再度検知された場合において、前記電源供給制御部の制御状態を維持させるように動作し、前記一方の制御信号とは異なる他方の制御信号が今回検知された場合において、前記電源供給制御部の制御状態を変化させるように動作する状態切替制御部と、を有する。
【００１０】
本発明の一態様の生体情報取得装置の駆動方法は、被検体の内部の生体情報を取得可能な生体情報取得部と、前記生体情報取得部を駆動させるための電力を供給可能な電源部と、前記電源部から前記生体情報取得部への電力の供給を実施するまたは遮断する制御を行う電源供給制御部と、を有する生体情報取得装置の駆動方法であって、前記生体情報取得装置の外部において発せられた前記生体情報取得装置を起動させるための第１の制御信号、及び、前記生体情報取得装置の外部において発せられた前記生体情報取得装置を停止させるための第２の制御信号のうちの少なくとも一方を検知した際に検知信号を出力する制御信号検知ステップと、前記制御信号検知ステップによる前記検知信号の出力状態に基づき、前記第１の制御信号及び前記第２の制御信号のうち、前回検知された一方の制御信号が今回再度検知されたか否かを判定する判定ステップと、前記判定ステップにより前記一方の制御信号が今回再度検知されたとの判定結果が得られた場合において、前記電源供給制御部の制御状態を維持させ、また、前記判定ステップにより前記一方の制御信号とは異なる他方の制御信号が今回検知されたとの判定結果が得られた場合において、前記電源供給制御部の制御状態を変化させる制御ステップと、を有する。
【発明の効果】
【００１１】
本発明における生体情報取得装置、生体情報取得システム及び生体情報取得装置の駆動方法によれば、所望の電源状態に確実に遷移させることができる。
【図面の簡単な説明】
【００１２】
【図１】本発明の第１の実施例に係る生体情報取得装置を含む生体情報取得システムの要部の構成を示す図。
【図２】第１の実施例に係る制御信号検知部及び状態切替制御部の構成の一例を示す図。
【図３】第１の実施例に係る検波部の具体的な構成の一例を示す図。
【図４】第１の実施例に係る生体情報取得装置及び磁界発生装置の動作の一例を説明するためのタイミングチャート。
【図５】本発明の第２の実施例に係る生体情報取得装置を含む生体情報取得システムの要部の構成を示す図。
【図６】第２の実施例に係る制御信号検知部及び状態切替制御部の構成の一例を示す図。
【図７】第２の実施例に係る共振周波数切替部の具体的な構成の一例を示す図。
【図８】第２の実施例に係る生体情報取得装置及び磁界発生装置の動作の一例を説明するためのタイミングチャート。
【発明を実施するための形態】
【００１３】
以下、本発明の実施例について、図面を参照しつつ説明を行う。
【００１４】
（第１の実施例）
図１から図４は、本発明の第１の実施例に係るものである。図１は、本発明の実施例に係る生体情報取得装置を含む生体情報取得システムの要部の構成を示す図である。
【００１５】
生体情報取得システム１は、図１に示すように、生体情報取得装置１０と、生体情報取得装置１０の外部に配置され、生体情報取得装置１０の起動及び停止に係る指示を行うための交流磁界信号（以下、単に「交流磁界」または「磁界信号」とも称する）を発する磁界発生装置２０と、を具備して構成されている。
【００１６】
生体情報取得装置１０は、例えばカプセル内視鏡のような、被検者の体腔内に配置可能な寸法及び形状等を有する装置として構成されている。
【００１７】
また、生体情報取得装置１０は、被検者の体腔内の被写体を照明するための照明光を発するＬＥＤ等の発光素子を備えた照明部１１と、照明部１１により照明された被写体を撮像して画像データを取得する撮像部１２と、撮像部１２により取得された画像データを無線信号に変調して外部へ送信する無線送信部１３と、を備えた主機能部１４を内部に有している。すなわち、本実施例における生体情報取得部は、照明部１１及び撮像部１２を具備して構成されている。
【００１８】
さらに、生体情報取得装置１０は、生体情報取得装置１０の各部を駆動させるための電力を供給可能なバッテリ等を備えた電源部１５と、電源部１５から主機能部１４の各部への電力の供給状態を制御する電源供給制御部１６と、磁界発生装置２０において発せられた交流磁界を制御信号として検知する制御信号検知部１７と、制御信号検知部１７による交流磁界信号の検知結果に基づいて電源供給制御部１６の制御状態の切替えに係る動作を行う状態切替制御部１８と、を内部に有している。
【００１９】
電源供給制御部１６は、電源部１５から主機能部１４の各部への電力供給を遮断する制御を行っている場合において、第１の信号レベル（例えばＨレベル）の出力信号を状態切替制御部１８へ出力するように構成されている。
【００２０】
また、電源供給制御部１６は、電源部１５から主機能部１４の各部への電力供給を実施する制御を行っている場合において、第２の信号レベル（例えばＬレベル）の出力信号を状態切替制御部１８へ出力するように構成されている。
【００２１】
ここで、制御信号検知部１７及び状態切替制御部１８の具体的な構成について説明する。図２は、第１の実施例に係る制御信号検知部及び状態切替制御部の構成の一例を示す図である。
【００２２】
制御信号検知部１７は、例えば図２に示すように、コイルＬ１及びコンデンサＣ１からなる共振回路として構成されており、共振周波数ｆ１の交流磁界信号を受信できるように調整されている。また、制御信号検知部１７は、磁界発生装置２０において発せられた交流磁界信号の検知結果に応じた磁界検知信号を状態切替制御部１８へ出力するように構成されている。
【００２３】
状態切替制御部１８は、図２に示すように、検波部１８ａと、タイマ部１８ｂと、カウント値切替部１８ｃと、カウンタ部１８ｄと、を有して構成されている。図３は、第１の実施例に係る検波部の具体的な構成の一例を示す図である。
【００２４】
検波部１８ａは、図３に示すように、制御信号検知部１７から出力される磁界検知信号を整流して出力するダイオードＤ１と、ダイオードＤ１からの出力信号を平滑化するコンデンサＣ２と、電源供給制御部１６から出力される出力信号の信号レベルに応じてオンまたはオフするスイッチング素子Ｍ１と、スイッチング素子Ｍ１がオンした際にコンデンサＣ２に対して並列接続されるコンデンサＣ３と、コンデンサＣ２（及びコンデンサＣ３）に充電された電荷を放電する抵抗Ｒ１と、を具備して構成されている。
【００２５】
スイッチング素子Ｍ１は、例えば図３に示すように、ソースがダイオードＤ１の出力側に接続され、ドレインがコンデンサＣ３に接続され、ゲートが電源供給制御部１６に接続されたＰ−ＭＯＳトランジスタ（Ｐチャネル型ＦＥＴ）として構成されている。
【００２６】
すなわち、以上に述べたような検波部１８ａの構成によれば、スイッチング素子Ｍ１がオフされている際には、ダイオードＤ１の出力側とコンデンサＣ３とが電気的に遮断されることにより、制御信号検知部１７から出力される磁界検知信号の出力間隔が、コンデンサＣ２の容量と抵抗Ｒ１の抵抗値との積により定められる時定数τ１以上である場合において、制御信号検知部１７から出力される磁界検知信号を適切に検波できるように構成されている。
【００２７】
また、以上に述べたような検波部１８ａの構成によれば、スイッチング素子Ｍ１がオンされている際には、ダイオードＤ１の出力側とコンデンサＣ３とが電気的に接続されることにより、制御信号検知部１７から出力される磁界検知信号の出力間隔が、コンデンサＣ２及びＣ３の合成容量と抵抗Ｒ１の抵抗値との積により定められる時定数τ２以上である場合において、制御信号検知部１７から出力される磁界検知信号を適切に検波できるように構成されている。
【００２８】
また、以上に述べたような検波部１８ａの構成によれば、スイッチング素子Ｍ１がオフされている際の時定数τ１と、スイッチング素子Ｍ１がオンされている際の時定数τ２と、の間において、τ１＜τ２という大小関係が成立する。
【００２９】
そして、検波部１８ａは、制御信号検知部１７から出力される磁界検知信号を適切に検波できた場合において、磁界発生装置２０からバースト状に出力される交流磁界信号の出力回数（制御信号検知部１７から出力される磁界検知信号の出力回数）に一致する数のパルス信号を、タイマ部１８ｂ及びカウンタ部１８ｄへ連続的に出力する。
【００３０】
タイマ部１８ｂは、検波部１８ａがパルス信号を出力し始めた際に時間の計測を開始するとともに、所定の時間が経過した際に時間の計測を終了するように構成されている。
【００３１】
また、タイマ部１８ｂは、電源供給制御部１６から出力される出力信号の信号レベルに応じ、計時動作の開始から終了までの時間を所定の計測時間Ｓ１またはＳ２のいずれかに設定できるように構成されている。
【００３２】
具体的には、タイマ部１８ｂは、電源供給制御部１６から出力される出力信号の信号レベルが第１の信号レベルである場合には、計時動作の開始から終了までの計測時間をＳ１に設定する。また、タイマ部１８ｂは、電源供給制御部１６から出力される出力信号の信号レベルが第２の信号レベルである場合には、計時動作の開始から終了までの計測時間をＳ２に設定する。
【００３３】
さらに、タイマ部１８ｂは、計時動作を終了する際に、カウンタ部１８ｄのカウント値を０にリセットさせるように動作する。
【００３４】
カウント値切替部１８ｃは、電源供給制御部１６から出力される出力信号の信号レベルに応じ、カウンタ部１８ｄの動作により得られるカウント値の閾値を所定の閾値Ｎ１またはＮ２のいずれかに設定できるように構成されている。（なお、本実施例においては、Ｎ１＜Ｎ２であることが望ましい。）
具体的には、カウント値切替部１８ｃは、電源供給制御部１６から出力される出力信号の信号レベルが第１の信号レベルである場合には、カウンタ部１８ｄの動作により得られるカウント値の閾値をＮ１に設定する。また、カウント値切替部１８ｃは、電源供給制御部１６から出力される出力信号の信号レベルが第２の信号レベルである場合には、カウンタ部１８ｄの動作により得られるカウント値の閾値をＮ２に設定する。
【００３５】
カウンタ部１８ｄは、タイマ部１８ｂの計時動作が行われている最中において、検波部１８ａから出力されるパルス信号の入力回数を１ずつカウントすることによりカウント値を得るように構成されている。
【００３６】
また、カウンタ部１８ｄは、タイマ部１８ｂの計時動作が行われている最中において得られたカウント値がカウント値切替部１８ｃにより設定された閾値（Ｎ１またはＮ２）に達したことを検知した際に、電源供給制御部１６の制御状態を切り替えるためのトリガ信号を出力するように構成されている。
【００３７】
なお、タイマ部１８ｂの計時動作が行われている最中において得られたカウント値がカウント値切替部１８ｃにより設定された閾値（Ｎ１またはＮ２）に達しなかった際には、電源供給制御部１６の制御状態を切り替えるためのトリガ信号がカウンタ部１８ｄから出力されないことに起因し、電源供給制御部１６の制御状態が（現状のまま）維持される。
【００３８】
一方、磁界発生装置２０は、図１に示すように、術者等の操作に応じて生体情報取得装置１０を起動させる旨の指示信号を出力する起動スイッチ（以下、「起動ＳＷ」とも称する）２１と、術者等の操作に応じて生体情報取得装置１０を停止させる旨の指示信号を出力する停止スイッチ（以下、「停止ＳＷ」とも称する）２２と、起動ＳＷ２１及び停止ＳＷ２２から出力される指示信号に応じた制御を行う磁界発生制御部２３と、磁界発生制御部２３の制御に応じた交流磁界信号を発生する磁界発生部２４と、を具備して構成されている。
【００３９】
磁界発生制御部２３は、起動ＳＷ２１から指示信号が出力されたことを検知した際に、バースト状の交流磁界信号として、例えば、周波数ｆ１の交流磁界の連続出力期間Ｗ１が周期Ｔ１毎に全３回分繰り返されるような第１の交流磁界信号を発生させるための制御を磁界発生部２４に対して行う。また、本実施例の磁界発生制御部２３は、前述の第１の交流磁界信号を発生させるための制御を行う際に、連続出力期間Ｗ１と周期Ｔ１との比が１：２になるように設定する。すなわち、本実施例の第１の交流磁界信号は、バースト出力期間Ｗ１、バースト出力期間Ｗ１の周期＝Ｔ１、バースト出力回数＝３回、かつ、バースト出力期間Ｗ１中に出力される交流磁界の周波数＝ｆ１のバースト状の交流磁界信号である。
【００４０】
また、磁界発生制御部２３は、停止ＳＷ２２から指示信号が出力されたことを検知した際に、バースト状の交流磁界信号として、例えば、周波数ｆ１の交流磁界の連続出力期間Ｗ１が周期Ｔ２毎に全５回分繰り返されるような第２の交流磁界信号を発生させるための制御を磁界発生部２４に対して行う。また、本実施例の磁界発生制御部２３は、前述の第２の交流磁界信号を発生させるための制御を行う際に、連続出力期間Ｗ１と周期Ｔ２との比が１：４になるように設定する。すなわち、本実施例の第２の交流磁界信号は、バースト出力期間Ｗ１、バースト出力期間Ｗ１の周期＝Ｔ２、バースト出力回数＝５回、かつ、バースト出力期間Ｗ１中に出力される交流磁界の周波数＝ｆ１のバースト状の交流磁界信号である。
【００４１】
なお、本実施例では、時定数τ１及びτ２と、周期Ｔ１及びＴ２と、の間において、τ１＜Ｔ１＜τ２＜Ｔ２という関係が成立するように各部が構成されているものとする。
【００４２】
ここで、本実施例の生体情報取得装置及び磁界発生装置の動作について、図４のタイミングチャートを参照しながら説明を行う。図４は、第１の実施例に係る生体情報取得装置及び磁界発生装置の動作の一例を説明するためのタイミングチャートである。
【００４３】
なお、図４のタイミングチャートに関する説明においては、簡単のため、計測時間Ｓ１＜Ｓ２であり、閾値Ｎ１＝３であり、かつ、閾値Ｎ２＝５である場合を例に挙げて述べる。
【００４４】
まず、時刻ｔ１以前の期間においては、電源部１５から主機能部１４の各部への電力供給を遮断する制御が電源供給制御部１６により行われていることに起因し、第１の信号レベルを具備する出力信号が検波部１８ａ、タイマ部１８ｂ及びカウント値切替部１８ｃの各部へ出力される。従って、時刻ｔ１以前の期間においては、検波部１８ａの時定数がτ１に設定され、タイマ部１８ｂの計測時間がＳ１に設定され、カウント値切替部１８ｃの閾値がＮ１に設定される。
【００４５】
そして、時刻ｔ１において、例えば、磁界発生装置２０に設けられた起動ＳＷ２１が術者等によりオンされると、第１の交流磁界信号のうちの１回目の磁界信号が磁界発生部２４から発せられる。
【００４６】
また、時刻ｔ１において、第１の交流磁界信号のうちの１回目の磁界信号が磁界発生部２４から発せられるに伴い、当該磁界信号の検知結果に応じた磁界検知信号が制御信号検知部１７から出力され、制御信号検知部１７からの磁界検知信号を検波して得られたパルス信号が検波部１８ａからタイマ部１８ｂ及びカウンタ部１８ｄへ出力され、計測時間Ｓ１を計測するための計時動作がタイマ部１８ｂにおいて開始される。さらに、このような動作が時刻ｔ１において行われるに伴い、カウンタ部１８ｄのカウント値が１に更新される。
【００４７】
その後、時刻ｔ２において、第１の交流磁界信号のうちの３回目の磁界信号が磁界発生部２４から発せられるに伴い、当該磁界信号の検知結果に応じた磁界検知信号が制御信号検知部１７から出力され、制御信号検知部１７からの磁界検知信号を検波して得られたパルス信号が検波部１８ａからタイマ部１８ｂ及びカウンタ部１８ｄへ出力される。さらに、このような動作が時刻ｔ２において行われるに伴い、カウンタ部１８ｄのカウント値が３に更新される。
【００４８】
そして、カウンタ部１８ｄは、時刻ｔ２において、カウント値が閾値Ｎ１に達したことを検出すると、電源供給制御部１６の制御状態を切り替えるためのトリガ信号を出力する。
【００４９】
電源供給制御部１６は、カウンタ部１８ｄから出力されるトリガ信号に応じ、電源部１５から主機能部１４の各部への電力供給を実施する制御を開始する。そして、このような電源供給制御部１６の動作により、時刻ｔ２において、主機能部１４の各部に電力が供給され、主機能部１４の各部が動作を開始する（電源状態がオンの状態となる）。
【００５０】
また、時刻ｔ２において、電源部１５から主機能部１４の各部への電力供給を実施する制御が開始されたことに起因し、電源供給制御部１６から出力される出力信号の信号レベルが第１の信号レベルから第２の信号レベルへ遷移する。そして、このような信号レベルの遷移に応じ、検波部１８ａの時定数がτ２に設定されるとともに、カウント値切替部１８ｃの閾値がＮ２に設定される。
【００５１】
タイマ部１８ｂは、時刻ｔ２の後の時刻ｔ３において、計測時間Ｓ１の計測を終了するとともに、カウンタ部１８ｄのカウント値を０にリセットさせるように動作する。
【００５２】
また、タイマ部１８ｂは、時刻ｔ３において、第２の信号レベルを具備する出力信号が電源供給制御部１６から出力されていることを検知すると、計時動作の開始から終了までの計測時間をＳ２に設定する。
【００５３】
一方、時刻ｔ３の後の時刻ｔ４において、例えば、磁界発生装置２０に設けられた起動ＳＷ２１が術者等により再度オンされると、第１の交流磁界信号のうちの１回目の磁界信号が磁界発生部２４から発せられる。
【００５４】
また、時刻ｔ４において、第１の交流磁界信号のうちの１回目の磁界信号が磁界発生部２４から発せられるに伴い、当該磁界信号の検知結果に応じた磁界検知信号が制御信号検知部１７から出力され、制御信号検知部１７からの磁界検知信号を検波して得られたパルス信号が検波部１８ａからタイマ部１８ｂ及びカウンタ部１８ｄへ出力され、計測時間Ｓ２を計測するための計時動作がタイマ部１８ｂにおいて開始される。
【００５５】
しかし、時刻ｔ４においては、検波部１８ａの時定数がτ２に設定されており、制御信号検知部１７から出力される磁界検知信号を適切に検波することができないため、第１の交流磁界信号に追従するようなパルス信号がカウンタ部１８ｄに入力されなくなる。その結果、タイマ部１８ｂによる計測時間Ｓ２の計測が終了する時刻ｔ５に至った時点において、カウンタ部１８ｄにより得られたカウント値が閾値Ｎ２に達しないまま０にリセットされる。
【００５６】
そして、以上に述べたような時刻ｔ４からｔ５までの動作によれば、カウンタ部１８ｄから電源供給制御部１６にトリガ信号が出力されないため、電源部１５から主機能部１４の各部への電力供給を実施する制御が維持される。
【００５７】
一方、時刻ｔ５の後の時刻ｔ６において、例えば、磁界発生装置２０に設けられた停止ＳＷ２２が術者等によりオンされると、第２の交流磁界信号のうちの１回目の磁界信号が磁界発生部２４から発せられる。
【００５８】
また、時刻ｔ６において、第２の交流磁界信号のうちの１回目の磁界信号が磁界発生部２４から発せられるに伴い、当該磁界信号の検知結果に応じた磁界検知信号が制御信号検知部１７から出力され、制御信号検知部１７からの磁界検知信号を検波して得られたパルス信号が検波部１８ａからタイマ部１８ｂ及びカウンタ部１８ｄへ出力され、計測時間Ｓ２を計測するための計時動作がタイマ部１８ｂにおいて開始される。さらに、このような動作が時刻ｔ６において行われるに伴い、カウンタ部１８ｄのカウント値が１に更新される。
【００５９】
その後、時刻ｔ７において、第２の交流磁界信号のうちの５回目の磁界信号が磁界発生部２４から発せられるに伴い、当該磁界信号の検知結果に応じた磁界検知信号が制御信号検知部１７から出力され、制御信号検知部１７からの磁界検知信号を検波して得られたパルス信号が検波部１８ａからタイマ部１８ｂ及びカウンタ部１８ｄへ出力される。さらに、このような動作が時刻ｔ７において行われるに伴い、カウンタ部１８ｄのカウント値が５に更新される。
【００６０】
そして、カウンタ部１８ｄは、時刻ｔ７において、カウント値が閾値Ｎ２に達したことを検出すると、電源供給制御部１６の制御状態を切り替えるためのトリガ信号を出力する。
【００６１】
電源供給制御部１６は、カウンタ部１８ｄから出力されるトリガ信号に応じ、電源部１５から主機能部１４の各部への電力供給を遮断する制御を開始する。そして、このような電源供給制御部１６の動作により、時刻ｔ７において、主機能部１４の各部への電力供給が遮断され、主機能部１４の各部が動作を停止する（電源状態がオフの状態となる）。
【００６２】
また、時刻ｔ７において、電源部１５から主機能部１４の各部への電力供給を遮断する制御が開始されたことに起因し、電源供給制御部１６から出力される出力信号の信号レベルが第２の信号レベルから第１の信号レベルへ遷移する。そして、このような信号レベルの遷移に応じ、検波部１８ａの時定数がτ１に設定されるとともに、カウント値切替部１８ｃの閾値がＮ１に設定される。
【００６３】
タイマ部１８ｂは、時刻ｔ７の後の時刻ｔ８において、計測時間Ｓ２の計測を終了するとともに、カウンタ部１８ｄのカウント値を０にリセットさせるように動作する。また、タイマ部１８ｂは、時刻ｔ８において、第１の信号レベルを具備する出力信号が電源供給制御部１６から出力されていることを検知すると、計時動作の開始から終了までの計測時間をＳ１に設定する。
【００６４】
一方、時刻ｔ８の後の時刻ｔ９において、例えば、磁界発生装置２０に設けられた停止ＳＷ２２が術者等により再度オンされると、第２の交流磁界信号のうちの１回目の磁界信号が磁界発生部２４から発せられる。
【００６５】
また、時刻ｔ９において、第２の交流磁界信号のうちの１回目の磁界信号が磁界発生部２４から発せられるに伴い、当該磁界信号の検知結果に応じた磁界検知信号が制御信号検知部１７から出力され、制御信号検知部１７からの磁界検知信号を検波して得られたパルス信号が検波部１８ａからタイマ部１８ｂ及びカウンタ部１８ｄへ出力され、計測時間Ｓ１を計測するための計時動作がタイマ部１８ｂにおいて開始される。
【００６６】
しかし、第２の交流磁界信号の周期Ｔ２が第１の交流磁界信号の周期Ｔ１の２倍であることに起因し、時刻ｔ９において開始された計測時間Ｓ１の計測が終了する時刻ｔ１０に至った時点において、カウンタ部１８ｄにより得られたカウント値が閾値Ｎ１に達しないまま０にリセットされる。
【００６７】
また、時刻ｔ１０の後の時刻ｔ１１において、第２の交流磁界信号のうちの３回目の磁界信号が磁界発生部２４から発せられるに伴い、当該磁界信号の検知結果に応じた磁界検知信号が制御信号検知部１７から出力され、制御信号検知部１７からの磁界検知信号を検波して得られたパルス信号が検波部１８ａからタイマ部１８ｂ及びカウンタ部１８ｄへ出力され、計測時間Ｓ１を計測するための計時動作がタイマ部１８ｂにおいて再度開始される。
【００６８】
しかし、第２の交流磁界信号の周期Ｔ２が第１の交流磁界信号の周期Ｔ１の２倍であることに起因し、時刻ｔ１１において開始された計測時間Ｓ１の計測が終了する時刻ｔ１２に至った時点において、カウンタ部１８ｄにより得られたカウント値が閾値Ｎ１に達しないまま０にリセットされる。
【００６９】
また、時刻ｔ１２の後の時刻ｔ１３において、第２の交流磁界信号のうちの５回目の磁界信号が磁界発生部２４から発せられるに伴い、当該磁界信号の検知結果に応じた磁界検知信号が制御信号検知部１７から出力され、制御信号検知部１７からの磁界検知信号を検波して得られたパルス信号が検波部１８ａからタイマ部１８ｂ及びカウンタ部１８ｄへ出力され、計測時間Ｓ１を計測するための計時動作がタイマ部１８ｂにおいて再度開始される。
【００７０】
しかし、第２の交流磁界信号の周期Ｔ２が第１の交流磁界信号の周期Ｔ１の２倍であることに起因し、時刻ｔ１３において開始された計測時間Ｓ１の計測が終了する時刻ｔ１４に至った時点において、カウンタ部１８ｄにより得られたカウント値が閾値Ｎ１に達しないまま０にリセットされる。
【００７１】
そして、以上に述べたような時刻ｔ９からｔ１４までの動作によれば、カウンタ部１８ｄから電源供給制御部１６にトリガ信号が出力されないため、電源部１５から主機能部１４の各部への電力供給を遮断する制御が維持される。
【００７２】
すなわち、本実施例の状態切替制御部１８によれば、磁界検知信号が所定の時間（計測時間Ｓ１またはＳ２）内に所定の回数（閾値Ｎ１またはＮ２）制御信号検知部１７から出力されたか否かに基づき、第１の交流磁界信号及び第２の交流磁界信号のうち、前回検知された一方の交流磁界信号が今回再度検知されたか否かを判定することができる。さらに、本実施例の状態切替制御部１８によれば、前回検知された一方の交流磁界信号が今回再度検知されたとの判定結果が得られた場合には、電源供給制御部１６の制御状態を維持させるように動作し、前記一方の制御信号とは異なる他方の制御信号が今回検知されたとの判定結果が得られた場合には、電源供給制御部１６の制御状態を変化させるように動作することができる。
【００７３】
従って、本実施例によれば、生体情報取得装置の現在の電源状態を磁界発生装置に知らせるための信号のやり取り（生体情報取得装置から磁界発生装置へのフィードバック）が行われずとも、生体情報取得装置の電源状態を、磁界発生装置に設けられた起動ＳＷ及び停止ＳＷの操作に応じた電源状態とすることができる。また、本実施例によれば、例えば、磁界発生装置に設けられた起動ＳＷ及び停止ＳＷのうちの一方のスイッチが連続的に操作されるような状況が発生したとしても、次に他方のスイッチが操作されるまでの間において、当該一方のスイッチの指示に応じた生体情報取得装置の電源状態を維持することができる。そのため、本実施例によれば、生体情報取得装置の電源状態を所望の電源状態に確実に遷移させることができる。
【００７４】
なお、本実施例によれば、電源供給制御部１６の現在の制御状態に応じ、検波部１８ａの時定数と、タイマ部１８ｂの計測時間と、カウンタ部１８ｄにより取得されるカウント値の閾値と、の３種類のパラメータが全て変更されるように構成したものに限らず、当該３種類のパラメータのうちの１種類または２種類のみが変更されるように構成してもよい。
【００７５】
また、本実施例によれば、起動ＳＷ２１が操作された場合に出力される（第１の）交流磁界信号と、停止ＳＷ２２が操作された場合に出力される（第２の）交流磁界信号との間において、連続出力期間の周期を相互に異ならせるように構成したものに限らず、例えば、バースト出力される交流磁界の周波数を相互に異ならせるように構成してもよく、バースト出力される交流磁界の位相を相互に異ならせるように構成してもよい。さらに、本実施例によれば、前述の３つの要素のうちの２つ以上を併せて異ならせることにより、起動ＳＷ２１が操作された場合に出力される（第１の）交流磁界信号と、停止ＳＷ２２が操作された場合に出力される（第２の）交流磁界信号とを相互に異ならせるようにしてもよい。
【００７６】
（第２の実施例）
図５から図８は、本発明の第２の実施例に係るものである。
【００７７】
なお、本実施例においては、第１の実施例と同様の構成等を有する部分に関する詳細な説明を省略するとともに、第１の実施例と異なる構成等を有する部分に関して主に説明を行う。図５は、本発明の第２の実施例に係る生体情報取得装置を含む生体情報取得システムの要部の構成を示す図である。
【００７８】
生体情報取得システム１Ａは、図５に示すように、生体情報取得装置１０Ａと、磁界発生装置２０と、を具備して構成されている。
【００７９】
本実施例の生体情報取得装置１０Ａは、照明部１１、撮像部１２及び無線送信部１３を備えた主機能部１４と、電源部１５と、電源供給制御部１６と、制御信号検知部１７Ａと、状態切替制御部１８Ａと、を内部に有している。図６は、第２の実施例に係る制御信号検知部及び状態切替制御部の構成の一例を示す図である。
【００８０】
制御信号検知部１７Ａは、図６に示すように、コイルＬ１及びコンデンサＣ１からなる共振回路１７ａと、共振周波数切替部１７ｂと、を有して構成されている。図７は、第２の実施例に係る共振周波数切替部の具体的な構成の一例を示す図である。
【００８１】
共振周波数切替部１７ｂは、図７に示すように、電源供給制御部１６から出力される出力信号の信号レベルに応じてオンまたはオフするスイッチング素子Ｍ２と、スイッチング素子Ｍ２がオンした際に共振回路１７ａのコンデンサＣ１に対して並列接続されるコンデンサＣ４と、を具備して構成されている。
【００８２】
スイッチング素子Ｍ２は、例えば図７に示すように、ソースが共振回路１７ａの出力側に接続され、ドレインがコンデンサＣ４に接続され、ゲートが電源供給制御部１６に接続されたＰ−ＭＯＳトランジスタ（Ｐチャネル型ＦＥＴ）として構成されている。
【００８３】
以上に述べたような制御信号検知部１７Ａの構成によれば、スイッチング素子Ｍ２がオフされている際には、共振回路１７ａの出力側とコンデンサＣ４とが電気的に遮断されることにより、コイルＬ１及びコンデンサＣ１からなる共振周波数ｆ１の共振回路Ｚ１が選択されるとともに、当該共振回路Ｚ１における交流磁界信号の検知結果に応じた磁界検知信号を生成して状態切替制御部１８Ａの検波部１８ｆへ出力することができるように構成されている。
【００８４】
また、以上に述べたような制御信号検知部１７Ａの構成によれば、スイッチング素子Ｍ２がオンされている際には、共振回路１７ａの出力側とコンデンサＣ４とが電気的に接続されることにより、コイルＬ１、コンデンサＣ１及びコンデンサＣ４からなる共振周波数ｆ２の共振回路Ｚ２が選択されるとともに、当該共振回路Ｚ２における交流磁界信号の検知結果に応じた磁界検知信号を生成して状態切替制御部１８Ａの検波部１８ｆへ出力することができるように構成されている。
【００８５】
すなわち、制御信号検知部１７Ａは、第３の交流磁界信号または第４の交流磁界信号のいずれか一方を選択的に検知して磁界検知信号を出力することが可能な機能を備えて構成されている。
【００８６】
一方、以上に述べたような制御信号検知部１７Ａの構成によれば、スイッチング素子Ｍ２がオフされている際の共振回路Ｚ１の共振周波数ｆ１と、スイッチング素子Ｍ２がオンされている際の共振回路Ｚ２の共振周波数ｆ２と、の間において、ｆ１＞ｆ２という大小関係が成立する。
【００８７】
状態切替制御部１８Ａは、図６に示すように、検波部１８ｆと、タイマ部１８ｇと、カウンタ部１８ｈと、を有して構成されている。
【００８８】
検波部１８ｆは、共振回路Ｚ１またはＺ２から出力される磁界検知信号の出力間隔が時定数τ１以上である場合において、当該磁界検知信号を適切に検波できるように構成されている。そして、検波部１８ｆは、共振回路Ｚ１またはＺ２から出力される磁界検知信号を適切に検波できた場合において、磁界発生装置２０からバースト状に出力される交流磁界信号の出力回数（共振回路Ｚ１またはＺ２から出力される磁界検知信号の出力回数）に一致する数のパルス信号を、タイマ部１８ｇ及びカウンタ部１８ｈへ連続的に出力する。
【００８９】
タイマ部１８ｇは、検波部１８ｆがパルス信号を出力し始めた際に所定の計測時間Ｓ３の計時動作を開始するとともに、当該計測時間Ｓ３が経過した際に計時動作を終了するように構成されている。
【００９０】
また、タイマ部１８ｇは、計時動作を終了する際に、カウンタ部１８ｈのカウント値を０にリセットさせるように動作する。
【００９１】
カウンタ部１８ｈは、タイマ部１８ｇの計時動作が行われている最中において、検波部１８ａから出力されるパルス信号の入力回数を１ずつカウントすることによりカウント値を得るように構成されている。
【００９２】
また、カウンタ部１８ｈは、タイマ部１８ｇの計時動作が行われている最中において得られたカウント値が所定の閾値Ｎ１に達したことを検知した際に、電源供給制御部１６の制御状態を切り替えるためのトリガ信号を出力するように構成されている。
【００９３】
なお、タイマ部１８ｇの計時動作が行われている最中において得られたカウント値が所定の閾値Ｎ１に達しなかった際には、電源供給制御部１６の制御状態を切り替えるためのトリガ信号がカウンタ部１８ｈから出力されないことに起因し、電源供給制御部１６の制御状態が（現状のまま）維持される。
【００９４】
一方、本実施例の磁界発生装置は、前述の第１及び第２の交流磁界信号を発生させるための制御を行う代わりに、以下に述べるような第３及び第４の交流磁界信号を発生させるための制御を行うように構成されている。
【００９５】
具体的には、本実施例の磁界発生制御部２３は、起動ＳＷ２１から指示信号が出力されたことを検知した際に、バースト状の交流磁界信号として、例えば、周波数ｆ１の交流磁界の連続出力期間Ｗ３が周期Ｔ３毎に全３回分繰り返されるような第３の交流磁界信号を発生させるための制御を磁界発生部２４に対して行う。また、本実施例の磁界発生制御部２３は、前述の第３の交流磁界信号を発生させるための制御を行う際に、連続出力期間Ｗ３と周期Ｔ３との比が１：２になるように設定する。すなわち、本実施例の第３の交流磁界信号は、バースト出力期間Ｗ３、バースト出力期間Ｗ３の周期＝Ｔ３、バースト出力回数＝３回、かつ、バースト出力期間Ｗ３中に出力される交流磁界の周波数＝ｆ１のバースト状の交流磁界信号である。
【００９６】
また、本実施例の磁界発生制御部２３は、停止ＳＷ２２から指示信号が出力されたことを検知した際に、バースト状の交流磁界信号として、例えば、周波数ｆ２の交流磁界の連続出力期間Ｗ３が周期Ｔ３毎に全３回分繰り返されるような第４の交流磁界信号を発生させるための制御を磁界発生部２４に対して行う。また、本実施例の磁界発生制御部２３は、前述の第４の交流磁界信号を発生させるための制御を行う際に、連続出力期間Ｗ３と周期Ｔ３との比が１：２になるように設定する。すなわち、本実施例の第４の交流磁界信号は、バースト出力期間Ｗ３、バースト出力期間Ｗ３の周期＝Ｔ３、バースト出力回数＝３回、かつ、バースト出力期間Ｗ３中に出力される交流磁界の周波数＝ｆ２のバースト状の交流磁界信号である。
【００９７】
なお、本実施例においては、第３の交流磁界信号においてバースト出力される交流磁界の周波数及び共振回路Ｚ１の共振周波数として設定される周波数ｆ１が、第４の交流磁界信号においてバースト出力される交流磁界の周波数及び共振回路Ｚ２の共振周波数として設定される周波数ｆ２の２倍以上であることが望ましい。
【００９８】
また、本実施例では、時定数τ１と周期Ｔ３との間において、τ１＜Ｔ３という関係が成立するように各部が構成されているものとする。
【００９９】
ここで、本実施例の生体情報取得装置及び磁界発生装置の動作について、図８のタイミングチャートを参照しながら説明を行う。図８は、第２の実施例に係る生体情報取得装置及び磁界発生装置の動作の一例を説明するためのタイミングチャートである。
【０１００】
なお、図８のタイミングチャートに関する説明においては、簡単のため、閾値Ｎ１＝３である場合を例に挙げて述べる。
【０１０１】
まず、時刻ｔ２１以前の期間においては、電源部１５から主機能部１４の各部への電力供給を遮断する制御が電源供給制御部１６により行われていることに起因し、第１の信号レベルを具備する出力信号が共振周波数切替部１７ｂへ出力される。従って、時刻ｔ２１以前の期間においては、共振周波数ｆ１の共振回路Ｚ１が選択された状態となっている。
【０１０２】
そして、時刻ｔ２１において、例えば、磁界発生装置２０に設けられた起動ＳＷ２１が術者等によりオンされると、第３の交流磁界信号のうちの１回目の磁界信号が磁界発生部２４から発せられる。
【０１０３】
また、時刻ｔ２１において、第３の交流磁界信号のうちの１回目の磁界信号が磁界発生部２４から発せられるに伴い、当該磁界信号の検知結果に応じた磁界検知信号が共振回路Ｚ１から出力され、共振回路Ｚ１からの磁界検知信号を検波して得られたパルス信号が検波部１８ｆからタイマ部１８ｇ及びカウンタ部１８ｈへ出力され、計測時間Ｓ３を計測するための計時動作がタイマ部１８ｇにおいて開始される。さらに、このような動作が時刻ｔ２１において行われるに伴い、カウンタ部１８ｈのカウント値が１に更新される。
【０１０４】
その後、時刻ｔ２２において、第３の交流磁界信号のうちの３回目の磁界信号が磁界発生部２４から発せられるに伴い、当該磁界信号の検知結果に応じた磁界検知信号が共振回路Ｚ１から出力され、共振回路Ｚ１からの磁界検知信号を検波して得られたパルス信号が検波部１８ｆからタイマ部１８ｇ及びカウンタ部１８ｈへ出力される。さらに、このような動作が時刻ｔ２２において行われるに伴い、カウンタ部１８ｈのカウント値が３に更新される。
【０１０５】
そして、カウンタ部１８ｈは、時刻ｔ２２において、カウント値が閾値Ｎ１に達したことを検出すると、電源供給制御部１６の制御状態を切り替えるためのトリガ信号を出力する。
【０１０６】
電源供給制御部１６は、カウンタ部１８ｈから出力されるトリガ信号に応じ、電源部１５から主機能部１４の各部への電力供給を実施する制御を開始する。そして、このような電源供給制御部１６の動作により、時刻ｔ２２において、主機能部１４の各部に電力が供給され、主機能部１４の各部が動作を開始する（電源状態がオンの状態となる）。
【０１０７】
また、時刻ｔ２２において、電源部１５から主機能部１４の各部への電力供給を実施する制御が開始されたことに起因し、電源供給制御部１６から出力される出力信号の信号レベルが第１の信号レベルから第２の信号レベルへ遷移する。そして、このような信号レベルの遷移に応じて共振周波数切替部１７ｂのスイッチング素子Ｍ２がオフからオンへ切り替わることにより、共振周波数ｆ２の共振回路Ｚ２が選択される。
【０１０８】
タイマ部１８ｇは、時刻ｔ２２の後の時刻ｔ２３において、計測時間Ｓ３の計測を終了するとともに、カウンタ部１８ｈのカウント値を０にリセットさせるように動作する。
【０１０９】
一方、時刻ｔ２３の後の時刻ｔ２４において、例えば、磁界発生装置２０に設けられた起動ＳＷ２１が術者等により再度オンされると、第３の交流磁界信号のうちの１回目の磁界信号が磁界発生部２４から発せられる。
【０１１０】
しかし、時刻ｔ２４においては、共振周波数ｆ２の共振回路Ｚ２が選択されており、周波数ｆ１の交流磁界がバースト出力される第３の交流磁界信号を検知することができないため、検波部１８ｆへの磁界検知信号の出力が行われない。その結果、時刻ｔ２４においては、検波部１８ｆからのパルス信号の出力が行われず、タイマ部１８ｇによる計時動作が開始されず、カウンタ部１８ｈによるカウント値の取得が開始されない（カウント値が０のまま維持される）。
【０１１１】
そして、以上に述べたような時刻ｔ２４の動作によれば、カウンタ部１８ｈから電源供給制御部１６にトリガ信号が出力されないため、電源部１５から主機能部１４の各部への電力供給を実施する制御が維持される。
【０１１２】
一方、時刻ｔ２４の後の時刻ｔ２５において、例えば、磁界発生装置２０に設けられた停止ＳＷ２２が術者等によりオンされると、第４の交流磁界信号のうちの１回目の磁界信号が磁界発生部２４から発せられる。
【０１１３】
また、時刻ｔ２５において、第４の交流磁界信号のうちの１回目の磁界信号が磁界発生部２４から発せられるに伴い、当該磁界信号の検知結果に応じた磁界検知信号が共振回路Ｚ２から出力され、共振回路Ｚ２からの磁界検知信号を検波して得られたパルス信号が検波部１８ｆからタイマ部１８ｇ及びカウンタ部１８ｈへ出力され、計測時間Ｓ３を計測するための計時動作がタイマ部１８ｇにおいて開始される。さらに、このような動作が時刻ｔ２５において行われるに伴い、カウンタ部１８ｈのカウント値が１に更新される。
【０１１４】
その後、時刻ｔ２６において、第４の交流磁界信号のうちの３回目の磁界信号が磁界発生部２４から発せられるに伴い、当該磁界信号の検知結果に応じた磁界検知信号が共振回路Ｚ２から出力され、共振回路Ｚ２からの磁界検知信号を検波して得られたパルス信号が検波部１８ｆからタイマ部１８ｇ及びカウンタ部１８ｈへ出力される。さらに、このような動作が時刻ｔ２６において行われるに伴い、カウンタ部１８ｈのカウント値が３に更新される。
【０１１５】
そして、カウンタ部１８ｈは、時刻ｔ２６において、カウント値が閾値Ｎ１に達したことを検出すると、電源供給制御部１６の制御状態を切り替えるためのトリガ信号を出力する。
【０１１６】
電源供給制御部１６は、カウンタ部１８ｈから出力されるトリガ信号に応じ、電源部１５から主機能部１４の各部への電力供給を遮断する制御を開始する。そして、このような電源供給制御部１６の動作により、時刻ｔ２６において、主機能部１４の各部への電力供給が遮断され、主機能部１４の各部が動作を停止する（電源状態がオフの状態となる）。
【０１１７】
また、時刻ｔ２６において、電源部１５から主機能部１４の各部への電力供給を遮断する制御が開始されたことに起因し、電源供給制御部１６から出力される出力信号の信号レベルが第２の信号レベルから第１の信号レベルへ遷移する。そして、このような信号レベルの遷移に応じて共振周波数切替部１７ｂのスイッチング素子Ｍ２がオンからオフへ切り替わることにより、共振周波数ｆ１の共振回路Ｚ１が選択される。
【０１１８】
タイマ部１８ｇは、時刻ｔ２６の後の時刻ｔ２７において、計測時間Ｓ３の計測を終了するとともに、カウンタ部１８ｈのカウント値を０にリセットさせるように動作する。
【０１１９】
一方、時刻ｔ２７の後の時刻ｔ２８において、例えば、磁界発生装置２０に設けられた停止ＳＷ２２が術者等によりオンされると、第４の交流磁界信号のうちの１回目の磁界信号が磁界発生部２４から発せられる。
【０１２０】
しかし、時刻ｔ２８においては、共振周波数ｆ１の共振回路Ｚ１が選択されており、周波数ｆ２の交流磁界がバースト出力される第４の交流磁界信号を検知することができないため、検波部１８ｆへの磁界検知信号の出力が行われない。その結果、時刻ｔ２８においては、検波部１８ｆからのパルス信号の出力が行われず、タイマ部１８ｇによる計時動作が開始されず、カウンタ部１８ｈによるカウント値の取得が開始されない（カウント値が０のまま維持される）。
【０１２１】
そして、以上に述べたような時刻ｔ２８の動作によれば、カウンタ部１８ｈから電源供給制御部１６にトリガ信号が出力されないため、電源部１５から主機能部１４の各部への電力供給を遮断する制御が維持される。
【０１２２】
すなわち、本実施例の状態切替制御部１８Ａによれば、磁界検知信号が所定の時間（計測時間Ｓ３）内に制御信号検知部１７Ａから出力されたか否かに基づき、第３の交流磁界信号及び第４の交流磁界信号のうち、前回検知された一方の交流磁界信号が今回再度検知されたか否かを判定することができる。さらに、本実施例の状態切替制御部１８Ａによれば、前回検知された一方の交流磁界信号が今回再度検知されたとの判定結果が得られた場合には、電源供給制御部１６の制御状態を維持させるように動作し、前記一方の制御信号とは異なる他方の制御信号が今回検知されたとの判定結果が得られた場合には、電源供給制御部１６の制御状態を変化させるように動作することができる。
【０１２３】
従って、本実施例によれば、生体情報取得装置の現在の電源状態を磁界発生装置に知らせるための信号のやり取り（生体情報取得装置から磁界発生装置へのフィードバック）が行われずとも、生体情報取得装置の電源状態を、磁界発生装置に設けられた起動ＳＷ及び停止ＳＷの操作に応じた電源状態とすることができる。また、本実施例によれば、例えば、磁界発生装置に設けられた起動ＳＷ及び停止ＳＷのうちの一方のスイッチが連続的に操作されるような状況が発生したとしても、次に他方のスイッチが操作されるまでの間において、当該一方のスイッチの指示に応じた生体情報取得装置の電源状態を維持することができる。そのため、本実施例によれば、生体情報取得装置の電源状態を所望の電源状態に確実に遷移させることができる。
【０１２４】
なお、本実施例によれば、起動ＳＷ２１が操作された場合に出力される（第３の）交流磁界信号と、停止ＳＷ２２が操作された場合に出力される（第４の）交流磁界信号と、のうち、電源供給制御部１６の現在の制御状態を変化させる一方の交流磁界信号のみを生体情報取得装置で検知できるように構成したものに限らず、第１の実施例にて述べたように、検波部１８ｆの時定数と、タイマ部１８ｇの計測時間と、カウンタ部１８ｈにより取得されるカウント値の閾値と、の３種類のパラメータのうちの少なくとも１つを電源供給制御部１６の現在の制御状態に応じて変更するように構成してもよい。
【０１２５】
なお、本発明は、上述した各実施例に限定されるものではなく、発明の趣旨を逸脱しない範囲内において種々の変更や応用が可能であることは勿論である。
【符号の説明】
【０１２６】
１  生体情報取得システム
１０  生体情報取得装置
１１  照明部
１２  撮像部
１３  無線送信部
１４  主機能部
１５  電源部
１６  電源供給制御部
１７  制御信号検知部
１７ａ  共振回路
１７ｂ  共振周波数切替部
１８，１８Ａ  状態切替制御部
１８ａ，１８ｆ  検波部
１８ｂ，１８ｇ  タイマ部
１８ｃ  カウント値切替部
１８ｄ，１８ｈ  カウンタ部
２０  磁界発生装置
２１  起動スイッチ
２２  停止スイッチ
２３  磁界発生制御部
２４  磁界発生部
【先行技術文献】
【特許文献】
【０１２７】
【特許文献１】特開２０１０−２４０２５２号公報
【図１】
2013146437.tif 000003
【図２】
2013146437.tif 000004
【図３】
2013146437.tif 000005
【図４】
2013146437.tif 000006
【図５】
2013146437.tif 000007
【図６】
2013146437.tif 000008
【図７】
2013146437.tif 000009
【図８】
2013146437.tif 000010